(57)【要約】【課題】軟質弾性体の立体に軸棒を取付けた回転伝達部材で、立体の形状は限定されず、２つの立体の押圧接触する箇所が限定されず、どの方向にも回転伝達が可能で、指を挟んでも傷つかず、互いに押圧接触させる立体の押圧度合いに精密さを要求されない回転伝達部材と、それを用いて、幼児や児童が容易に回転伝達機構の学習することのできる玩具を提供する。【解決手段】柔らかく弾性力があり摩擦抵抗が大きい材料の立体１に軸棒２を固定または着脱自在に取付けで回転伝達部材を構成する。複数の回転伝達部材の軸棒２を、基台４の多数の孔を選択して、互いの立体１が押圧接触する関係で、軸棒２の一端を回動自在に挿入し、それらの立体１の内１つを回動させることにより、接触する立体を順次回動させるようにする。前記回転伝達部材を、従来一般に使用されている歯車、ベルト、紐等の一般の回転伝達部材と組み合わせて使用してもよい。【選択図】        図１
2004237006.tif 000002
【特許請求の範囲】
【請求項１】
柔らかく弾力性があり摩擦抵抗が大きな材料の立体に軸棒を固定または着脱自在に取付けてなり、その複数個を、それぞれの立体が互いに押圧接触する位置に前記軸棒を回動自在に配置し、それらの１つの立体を回転させることにより、接触する他の立体を回動させることを可能とする回転伝達部材。
【請求項２】
柔らかく弾力性があり摩擦抵抗が大きな材料の立体に軸棒を固定または着脱自在に取り付けた回転伝達部材の複数個を、前記回転伝達部材のいずれかの立体が互いに押圧接触するように、前記回転伝達部材の軸棒の一端を基台の孔に回動自在に挿入立設して、それらの１つの立体を回動させることにより、接触する他の立体を回転させることを可能とする機構を備えた玩具。
【請求項３】
柔らかく弾力性があり摩擦抵抗が大きな材料の立体に軸棒を固定または着脱自在に取り付けた回転伝達部材を、その軸棒の一端を基台の孔に回動自在に挿入し、その立体と、歯車、ベルト等の一般の伝動部材と組合せ、その立体または一般の回転伝達部材を回動させることにより、その接触相手の回転伝達部材を回動させる機構を備えた玩具。
【発明の詳細な説明】
【０００１】
【発明の属する技術分野】
この発明は、１つの立体を回転させることにより、それに接触する他の立体を回転させる軟質弾性体よりなる立体と軸棒よりなる回転伝達部材とそれを用いた玩具に関するものである。
【０００２】
【従来の技術】
従来の回転伝達部材は、主として歯車が使用されている。例えば特許文献１には複数のギヤーを噛合させてターンテーブルを回転させる玩具が記載されている
。
【０００３】
【特許文献１】
実用新案登録第３０６７４９１号公報（図１および図２）。
【０００４】
【発明が解決しようとする課題】
従来の回転伝達部材の歯車は硬質であって、幼児が２つの歯車に指を挟まれて怪我をするおそれがある、従ってまた、幼児用または子供用玩具では、歯車部分を覆う必要があり、幼児や子供が回転伝達機構のメカニズムを学習するのに不便である。
従来の歯車では、回転軸に直角か、または傘形歯車のように回転面に直角の方向のように特定の方向にしか回転伝達ができない。
更に従来の歯車では、歯車と歯車とが確実に噛合するように、各歯車の軸の間隔を厳密な寸法に一致させなければならない。
【０００５】
この発明は、幼児や子供が回転する立体に指を挟まれても怪我をすることなく、従って、回転伝達機構が露出していてもよく、その場合に回転伝達機構のメカニズムを観察できて教材としても使用でき、回転伝達部材の立体が柔らかく弾性的で、摩擦抵抗が大きいために、歯車形状に限定されない立体で、面接触の摩擦抵抗で任意の方向に回転伝達できる回転伝達部材およびそれを用いた玩具を提供することを目的とする。
【０００６】
【課題を解決するための手段】
柔らかく弾力性があり摩擦抵抗が大きな材料の立体に軸棒を固定または着脱自在に取付けて回転伝動部材を構成し、その回転伝動部材の数個を、それぞれの立体が互いに押圧接触する位置に前記軸棒を回動自在に配置し、それらの１つの立体を回転させることにより、接触する他の立体を回動させることを可能とする。
【０００７】
柔らかく弾力性があり摩擦抵抗が大きな材料の立体に軸棒を固定または着脱自在に取り付けた回転伝達部材の複数個を、前記回転伝達部材のいずれかの立体が互いに押圧接触するように、前記回転伝達部材の軸棒の一端を基台の孔に回動自在に挿入立設して、それらの１つの立体を回動させることにより、接触する他の立体を回転させることを可能とする機構を設けた玩具を構成する。
【０００８】
柔らかく弾力性があり摩擦抵抗が大きな材料の立体に軸棒を固定または着脱自在に取り付けた回転伝達部材を、その軸棒の一端を基台の孔に回動自在に挿入し、その立体と、歯車、ベルト等の一般の回転伝動部材と組合せ、その立体または一般の回転伝動部材を回動させることにより、その接触相手の回転伝動部材を回動させる機構を設けた玩具を構成する。
【０００９】
【発明の実施の形態】
この発明の実施の形態を図面により説明する。
立体１は、ゴムや軟質プラスチック等圧力を加えると変形する柔らかく、摩擦係数の大きい弾性材料で形成する。
立体１の形状は、限定されず、球形、円筒形、円板状形、卵形や、角があったり角がない不規則な形状等のいずれの形態の立体であってもよい。
【００１０】
立体１に軸棒２を取り付けて回転伝達部材とする。４は、軸棒２の一端を挿入しうる多数の孔３を設けた基台である。
【００１１】
基台４の孔３に、回転伝達部材の軸棒２の下端を挿入して軸棒２を基台４に回動自在に立設する。そしてその立体１に接して互いに押圧して多少変形する間隔に他の回転伝達部材の立体１を接触させる位置に、後者の回転伝達部材の軸棒２の下端を基台４の孔３に挿入して軸棒２を回動自在に立設する。上記の要領で複数の回転伝達部材を順次基台４に回動自在に立設する。
【００１２】
上記の複数の回転伝達部材のうち、いずれかの１つの回転伝達部材の立体１を回転させると、その立体１とそれに接する他の回転伝達部材の立体１は、互いに押圧して変形する程度に接しているので、回転が伝達して回転し、順次他の回転伝達部材の立体に回転が伝達する。
【００１３】
互いに接する回転伝達部材の立体は、形状、大きさが同じでも異なるものでもよい。
すなわち、球形、円筒形、その他の形状の同じものでもよく、また、球形と円筒形、球形と多面体形、円筒形と不規則な立体形のもの等の組合せのように、その組合せは限定されない。
【００１４】
弾性体の押圧で回転を伝達するので、いかなる形状のものであっても、回転伝達方向は限定されない。
従って、２つの相接する立体１は、どの位置で接触しても回転を伝達する。
【００１５】
図２および図３に示す立体１ａ、１ｂ、１ｃは、互いの軸棒２に直角に接触したもので、図４の立体１ｄ、１ｅ、１ｆは、互いの軸棒２に直角でない角度で接しており、図５、図６の立体１ｄ、１ｅも互いの軸棒２に直角でない角度で接している。
【００１６】
また、図５の立体１ｅと１ｇとは、互いの軸棒に直角に接触しているが、図６の立体は、球形の回転伝達体１ｅと円筒形の回転伝達体１ｈが軸棒に対して直角でない角度で接しており、立体１ｈの下方角（かど）で円筒形の立体１ｅに接触したものである。
【００１７】
上記のいずれもが１つの立体の回転が順次接触する他の立体を回転させる。
球形の立体同志、円筒形の立体同志、または球形の立体と円筒形の立体が接触している場合には、伝達される速度は一定であるが、不規則な形態の立体が同一または他の形態の立体と接している場合には、伝達される速度は一定でなく、程度の差はあるが緩急の伝達速度が繰り返される。
【００１８】
更に、１本の軸棒に複数の立体を取り付け、それぞれの立体で、他の別々の立体を回転させてもよい。
図３に示すものでは、立体１ｃの同軸２に更に立体１ｍを取り付け、それに他の軸の立体１ｎを接触させ、立体１ｃの回転で立体１ｍが回転し、その回転で立体１ｎが回転するようにしている。
図４では、同軸２に立体１ｘと１ｙとを取り付け、立体１ｘを立体１ｆに接触させ、立体１ａの回転が順次伝達して立体１ｆが回転すると、その回転が立体１ｘに伝達して回転し同時に立体１ｙも回転するようにしている。
【００１９】
立体は、どの表面位置で他の立体と押圧接触させても、その接触立体を回転させるので、図７に示すように、１つの立体に複数の立体を接触させて、それらを伝達回転させることができる。
【００２０】
上記のように、回転伝達部材の立体が互いに押圧接触するように、それぞれの軸棒２の下端を基台４の孔３に差し込んで複数の回転伝達部材を立設する。
手または軸２に取付けたハンドル５で、１つの立体１を回すことによって基礎的な回転伝達のメカニズムを学習することができる。例えば、接触する立体１を順次伝達回転すること、伝達回転が逆回転であること、立体１の大きさが変わると回数速度が変わること、１個の立体に複数の立体を接触させると、１個の立体の回転が同時に複数の立体を回転させること、等を自然に理解するようになる。
【００２１】
２つの立体の接触点とそれぞれの立体の中心を結ぶ線が、それぞれの軸棒と直角でない角度となるように、すなわち、２つの立体の位置に高低を設けたり、１本の軸棒に複数の立体を接触させ、更にそれらに他の立体を接触させることにより、回転機構を立体的なものにすることができる。
【００２２】
軸棒２の上端に直接、または上端にテーブルを取り付けてその上に、人形、動物、乗物、旗、家、木等の玩具を取り付ければ、回転伝達部材の伝達回転で上記の人形等の玩具も回動するのを楽しむことができる。
【００２３】
本願回転伝達部材を、従来一般に使用されている歯車、ベルト、紐等の回転伝達部材と組み合わせて回転することも可能である。
【００２４】
基台４に立設する軸棒に取り付けた立体の形状、大きさ、高低、数等を選択し、グループ化することにより種々なゲーム装置を構成することができる。
【００２５】
図７、８は、サッカーゲーム装置である。すなわち、軸棒２にハンドル５を取り付けた立体１に、他の３つの回転伝達部材の立体１を接触させ、それら３つの回転伝達部材のそれぞれの立体に更に他の回転伝達部材の立体１を接触させ、最前列の３個の回転伝達部材のそれぞれの軸棒にバット６を設け、それら７個の回転伝達部材を１グループとし、２個のグループをバット６を設けた立体１を前方にして横に並べ、基台７の一方の縁部に配設し、他方に縁部に２個のグループを横に並べて対向配設する。
横に並べた２個のグループの間はボール８が通過しうる幅とする。この間隔はサッカーのゴール９である。
相対向する２グループ間の基台７の側縁には、ボール８が基台７から転げ落ちないように、柵１０を設ける。
【００２６】
このゲーム装置は次のように使用する。
すなわち、基台７を間にして２人または４人が対向し、手前の２つの回転伝達部材のハンドル５を回動させて第２列、第３列の立体１を回動させ、それによりバット６を回動させてバット６でボール８を相手側のゴール９方向に打つ。相手方は、ボール８が自陣に転がり込んで来たら、バット６を回動させてボール８が自陣のゴール９に入るのを阻止し、打ち返す。相手方のゴール９にボール８が入ると得点する。
【００２７】
【発明の効果】
この発明に係る回転伝達部材は、その立体が柔らかい弾性体で摩擦計数の高い材料よりなっているので、複数の回転部材を基台に回転伝達部材の立体が他方の回転伝達部材と押圧変形接触する状態で立設すると、一方の回転により他方が伝達回転する。
立体が柔らかい弾性体であるので、指が挟まれても傷つかない。
従って、回転伝達機構をカバーする必要がなく、回転伝達機構が目視できるので、児童による回転伝達メカニズムの学習に役立つ。
また回転伝達部材の立体は、各種の形状、大きさのものが採用でき、どの箇所で接しても回転伝達ができ、従って、回転伝達方向も特定されず全方向への伝達が可能である。
更に、この回転伝達部材は、従来一般に使用されている歯車やベルト等の回転伝達部材とも組合せて使用することができる。
また、どの箇所での接触も可能なので、回転伝達機構を立体的とできるので、種々な玩具、教材の構成が可能である。
更に相接する立体は押圧変形により回転伝達を可能にするので、２つの立体の軸の間隔および接触押圧度合いは厳密さが要求されない。従って、この回転伝達部材を用いた玩具の製造は容易、安価にできる。
【図面の簡単な説明】
【図１】回転伝達部材を用いた装置の平面図である。
【図２】上記装置の正面図である。
【図３】他の実施の形態の装置の正面図である。
【図４】他の実施の形態の装置の正面図である。
【図５】他の実施の形態の装置の正面図である。
【図６】他の実施の形態の装置の正面図である。
【図７】回転伝達部材を用いた玩具の平面図である。
【図８】上記玩具の正面図である。
【符号の説明】
１  立体
２  軸棒
３  孔
４  基台
５  ハンドル
６  バット
７  基台
８  ボール
９  ゴール
１０  柵
【図１】
2004237006.tif 000003
【図２】
2004237006.tif 000004
【図３】
2004237006.tif 000005
【図４】
2004237006.tif 000006
【図５】
2004237006.tif 000007
【図６】
2004237006.tif 000008
【図７】
2004237006.tif 000009
【図８】
2004237006.tif 000010